(57)【要約】【課題】照明器具の安全性を向上する。【解決手段】照明器具用アダプタ１００は、引掛シーリングボディ２００と照明器具３００の器具本体３１０とを接続する。照明器具用アダプタ１００は、引掛シーリングボディ２００に対向する第一面１１１ａ、及び、第一面１１１ａと反対側の第二面１１２ａを有するアダプタ筐体１１０と、給電用の第一端子１２１及び第二端子１２２とを備える。アダプタ筐体１１０の第一面１１１ａには、引掛シーリングボディ２００と器具本体３１０とをアース接続するアース接続部材６２３を通すための溝１８１又は穴が設けられている。【選択図】図２
2020087654.tif 000002
【特許請求の範囲】
【請求項１】
引掛シーリングボディと照明器具の器具本体とを接続するための照明器具用アダプタであって、
前記引掛シーリングボディに対向する第一面、及び、前記第一面と反対側の第二面を有するアダプタ筐体と、
前記アダプタ筐体に設けられた給電用の第一端子及び第二端子と
を備え、
前記アダプタ筐体の前記第一面には、前記引掛シーリングボディと前記器具本体とをアース接続するアース接続部材を通すための溝又は穴が設けられている
照明器具用アダプタ。
【請求項２】
前記溝又は前記穴は、前記第一面から前記第二面にわたって設けられている
請求項１に記載の照明器具用アダプタ。
【請求項３】
前記溝又は前記穴は、前記アダプタ筐体を前記第一面に垂直な方向から見た場合、前記引掛シーリングボディと重なる位置に設けられている
請求項１又は２に記載の照明器具用アダプタ。
【請求項４】
前記アダプタ筐体の前記第一面には、前記溝又は前記穴の一部に繋がる凹部が設けられている
請求項１〜３のいずれか１項に記載の照明器具用アダプタ。
【請求項５】
前記凹部は、前記溝又は前記穴を起点とし、前記照明器具用アダプタを前記引掛シーリングボディに回転して接続する際の回転方向に沿って設けられている
請求項４に記載の照明器具用アダプタ。
【請求項６】
前記アース接続部材は、導電性を有する締結部材であり、前記引掛シーリングボディ、前記照明器具用アダプタ及び前記器具本体を一体的に固定する
請求項１〜５のいずれか１項に記載の照明器具用アダプタ。
【請求項７】
請求項１〜６のいずれか１項に記載の照明器具用アダプタと、
前記照明器具用アダプタに接続される前記器具本体と
を備える照明器具。
【請求項８】
アース接続部材を有する引掛シーリングボディと、
当該引掛シーリングボディに接続される請求項１〜６のいずれか１項に記載の照明器具用アダプタと、
前記照明器具用アダプタに接続される前記器具本体と
を備える照明器具セット。
【請求項９】
前記アース接続部材は、前記引掛シーリングボディの底面又は側面から外側に引き出され、前記溝又は前記穴を通って前記器具本体に電気的に接続される
請求項８に記載の照明器具セット。
【請求項１０】
アース部を有する引掛シーリングボディと、
当該引掛シーリングボディに接続される請求項１〜６のいずれか１項に記載の照明器具用アダプタと、
前記照明器具用アダプタに接続される前記器具本体と、
前記引掛シーリングボディの前記アース部と前記器具本体とをアース接続する前記アース接続部材と
を備える照明器具セット。
【請求項１１】
前記第一端子及び前記第二端子は、前記引掛シーリングボディを介して、建物に敷設された複数の電力供給線に１対１で接続され、
前記アース接続部材は、前記建物に敷設されたアース線に電気的に接続される
請求項８〜１０のいずれか１項に記載の照明器具セット。
【発明の詳細な説明】
【技術分野】
【０００１】
本発明は、天井に設けられた引掛シーリングボディに照明器具本体を接続するための照明器具用アダプタ、この照明器具用アダプタと照明器具本体とを備える照明器具、及び、引掛シーリングボディと照明器具とを備える照明器具セットに関する。
【背景技術】
【０００２】
従来、天井に設けられた引掛シーリングボディに照明器具本体を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、照明器具の安全性を向上することができる照明器具用アダプタ、照明器具、及び、照明器具セットを提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する第一面、及び、前記第一面と反対側の第二面を有するアダプタ筐体と、前記アダプタ筐体に設けられた給電用の第一端子及び第二端子とを備え、前記アダプタ筐体の前記第一面には、前記引掛シーリングボディと前記器具本体とをアース接続するアース接続部材を通すための溝又は穴が設けられている。
【０００６】
本発明の一態様に係る照明器具は、上記照明器具用アダプタと、前記照明器具用アダプタに接続される前記器具本体とを備える。
【０００７】
本発明の一態様に係る照明器具セットは、アース接続部材を有する引掛シーリングボディと、当該引掛シーリングボディに接続される上記照明器具用アダプタと、前記照明器具用アダプタに接続される前記器具本体とを備える。
【０００８】
本発明の一態様に係る照明器具セットは、アース部を有する引掛シーリングボディと、当該引掛シーリングボディに接続される上記照明器具用アダプタと、前記照明器具用アダプタに接続される前記器具本体と、前記引掛シーリングボディの前記アース部と前記器具本体とをアース接続する前記アース接続部材とを備える。
【発明の効果】
【０００９】
本発明によれば、照明器具の安全性を向上することができる照明器具用アダプタ、照明器具、及び、照明器具セットが実現される。
【図面の簡単な説明】
【００１０】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６Ａ】図６Ａは、実施の形態に係る照明器具を引掛シーリングボディに取り付ける前の模式図である。
【図６Ｂ】図６Ｂは、実施の形態に係る照明器具を引掛シーリングボディに取り付けた後の模式図である。
【図７】図７は、実施の形態の変形例１に係る照明器具用アダプタを上方から見た外観斜視図である。
【図８】図８は、実施の形態の変形例２に係る照明器具用アダプタを上方から見た外観斜視図である。
【図９】図９は、実施の形態の変形例３に係る照明器具用アダプタを上方から見た外観斜視図である。
【図１０】図１０は、実施の形態の変形例３に係る照明器具用アダプタの断面を模式的に示した図である。
【図１１】図１１は、実施の形態の変形例４に係る引掛シーリングボディ及びアース接続部材を示した外観斜視図である。
【図１２】図１２は、実施の形態の変形例４に係る引掛シーリングボディ及びアース接続部材の他の例を示した外観斜視図である。
【発明を実施するための形態】
【００１１】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１２】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１３】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１４】
（実施の形態）
［１．引掛シーリングボディ及び照明器具の構造］
まず、実施の形態に係る照明器具の構造について、図１〜図３を参照しながら説明する。
【００１５】
図１は、実施の形態に係る照明器具３００の分解斜視図である。図２は、実施の形態に係る照明器具用アダプタ１００を下方から見た外観斜視図である。図３は、実施の形態に係る照明器具用アダプタ１００を上方から見た外観斜視図である。なお、図１には、天井などの構造物に設けられる引掛シーリングボディ２００と、引掛シーリングボディ２００及び照明器具３００を備える照明器具セット４００とが図示されている。
【００１６】
引掛シーリングボディ２００は、絶縁性を有するボディ筐体２１５と、複数の電力供給部（図示省略）と、ボディ筐体２１５の内部に設けられたアース部２２３とを有している。また、引掛シーリングボディ２００は、照明器具３００をアース接続するためのアース接続部材６２３を有している。アース接続部材６２３は、ボディ筐体２１５の内部にてアース部２２３に接続されている。また、アース接続部材６２３は、アース接続部材６２３とボディ筐体２１５の側面２１５ｂとの接点を付け根とし、側面２１５ｂから外側に引き出されている。
【００１７】
図１〜図３に示されるように、照明器具３００は、照明器具用アダプタ１００と、器具本体３１０と、光源ユニット３２０ａ及び３２０ｂと、器具コネクタ３３０と、蓋３４０と、グローブ３５０とを備える。器具本体３１０には、取り付け孔３６０が設けられている。
【００１８】
器具本体３１０には、器具筐体３１５と、光源ユニット３２０ａ及び光源ユニット３２０ｂと、光源ユニット３２０ａ及び光源ユニット３２０ｂに電気的に接続された器具コネクタ３３０とが設けられている。また、器具本体３１０の中央部分には、円形の取り付け孔３６０が設けられている。器具筐体３１５は、例えば金属製であり、導電性を有している。
【００１９】
光源ユニット３２０ａ及び光源ユニット３２０ｂは、それぞれが内部に複数のＬＥＤを有する発光部であり、例えば、グローブ３５０（下方）に向けて光を発する。
【００２０】
器具コネクタ３３０は、照明器具用アダプタ１００に接続されるコネクタである。器具コネクタ３３０が照明器具用アダプタ１００に接続されることにより、器具本体３１０に電力が供給される。
【００２１】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００２２】
照明器具用アダプタ１００は、引掛シーリングボディ２００と照明器具３００の器具本体３１０とを接続するためのアダプタである。照明器具用アダプタ１００は、アダプタ筐体１１０を備え、アダプタ筐体１１０の第一面１１１ａからは、断面Ｌ字状をした給電用の第一端子１２１及び第二端子１２２が突出している。第一端子１２１が引掛シーリングボディ２００の挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２３】
また、アダプタ筐体１１０の側壁１１３からは第一係止部材１３１及び第二係止部材１３２が突出しており、第一係止部材１３１及び第二係止部材１３２は、アダプタ筐体１１０に収容された弾性部材（図１〜図３で図示せず）により、アダプタ筐体１１０の内側から外側に向かって付勢されている。第一係止部材１３１及び第二係止部材１３２のそれぞれは、器具本体３１０を照明器具用アダプタ１００に係止させるための係止部材である。
【００２４】
ユーザは、取り付け孔３６０に照明器具用アダプタ１００のアダプタ筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、弾性部材の付勢力に抗してアダプタ筐体１１０の内側に向けて押し込まれる。
【００２５】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、アダプタ筐体１１０内の弾性部材により与えられる付勢力によってアダプタ筐体１１０の外側に突出する。そうすると、器具本体３１０の取り付け孔３６０の周縁部分が、第一係止部材１３１及び第二係止部材１３２に係止する。
【００２６】
その後、ユーザは、照明器具用アダプタ１００のアダプタ筐体１１０の下面側に設けられたコネクタ挿入口１５０に器具コネクタ３３０を接続する。また、引掛シーリングボディ２００から引き出されたアース接続部材６２３を器具本体３１０の器具側アース端子３１３に接続する。そして、取り付け孔３６０を下面側から覆う蓋３４０と、グローブ３５０とを装着する。これにより、引掛シーリングボディ２００への照明器具３００の取り付けが完了する。
【００２７】
本実施の形態の照明器具用アダプタ１００では、アダプタ筐体１１０が、上記アース接続部材６２３を上から下へ通すための溝１８１を有している。なお、アダプタ筐体１１０は、上記溝１８１の代わりに、アース接続部材６２３を通すための穴を有していてもよい。
【００２８】
照明器具用アダプタ１００が上記構造を有することで、器具本体３１０を照明器具用アダプタ１００に取り付ける際に、引掛シーリングボディ２００から引き出されたアース接続部材６２３を、アダプタ筐体１１０の溝１８１又は穴を通して器具本体３１０に接続することができる。これにより、器具本体３１０を接地することができ、照明器具３００の安全性を向上することができる。アース接続部材６２３等の詳しい構造については後述する。
【００２９】
［２．照明器具用アダプタの構造］
次に、照明器具用アダプタ１００の構造について、図１〜図３に加えて図４及び図５を参照しながら説明する。
【００３０】
図４は、実施の形態に係る照明器具用アダプタ１００を上方から見た分解斜視図である。図５は、実施の形態に係る照明器具用アダプタ１００を下方から見た分解斜視図である。なお、図４及び図５では、部材同士を固定するねじについては、図示が省略される。
【００３１】
図４及び図５に図示されるように、照明器具用アダプタ１００は、アダプタ筐体１１０と、第一端子１２１と、第二端子１２２と、第一係止部材１３１と、第二係止部材１３２と、弾性部材１７０と、第一レバー１６１と、第二レバー１６２とを備えている。なお、照明器具用アダプタ１００は、ロック部１４５及びロック解除ボタン１４０も備えているが、本実施の形態ではそれらの説明を省略する。
【００３２】
アダプタ筐体１１０は、照明器具用アダプタ１００が備える各構成要素を収容する略扁平円筒状の部材である。アダプタ筐体１１０は、引掛シーリングボディ２００に対向する第一面１１１ａ、及び、第一面１１１ａと反対側の第二面１１２ａ、並びに、第一面１１１ａ及び第二面１１２ａの両方に交差し、第一面１１１ａ及び第二面１１２ａを繋ぐ側壁１１３を有する。
【００３３】
アダプタ筐体１１０は、引掛シーリングボディ２００と器具本体３１０とをアース接続するアース接続部材６２３を通すための溝１８１を有している。この溝１８１は、第一面１１１ａから第二面１１２ａにわたって、アダプタ筐体１１０の側壁１１３に沿って設けられている。アダプタ筐体１１０を第一面１１１ａに垂直な方向から見た場合、溝１８１は、引掛シーリングボディ２００のボディ筐体２１５の外周の内側であって、引掛シーリングボディ２００と重なる位置に設けられている。また、溝１８１は、第一面１１１ａに垂直な方向から見た場合、アース接続部材６２３が引き出されるボディ筐体２１５の側面２１５ｂの付け根の位置と同じ位置に設けられている。
【００３４】
また、アダプタ筐体１１０は、第一面１１１ａ側の本体部１１１と、第二面１１２ａ側のカバー１１２とを有する。本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００のアダプタ筐体１１０を構成する。
【００３５】
本体部１１１の引掛シーリングボディ２００に対向する部分には、端子挿通孔１１１ａ１及び端子挿通孔１１１ａ２が設けられる。端子挿通孔１１１ａ１からは第一端子１２１の一方の端部１２１ａが突出し、端子挿通孔１１１ａ２からは第二端子１２２の一方の端部１２２ａが突出している。
【００３６】
本体部１１１の側壁１１３には、第一開口１１３ｃ１及び第二開口１１３ｃ２が設けられる。第一開口１１３ｃ１からは、第一係止部材１３１が本体部１１１の外側に向けて突出している。第二開口１１３ｃ２からは、第二係止部材１３２が本体部１１１の外側に向けて突出している。
【００３７】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じてアダプタ筐体１１０から外部に露出し、器具本体３１０の器具コネクタ３３０が抜き挿し自在に接続される。
【００３８】
カバー１１２は、本体部１１１の下面側を覆う樹脂製で板状の部材である。カバー１１２は、アダプタ筐体１１０の下面（接続面）を構成し、カバー１１２の中央には、開口１１２ｂが設けられる。当該開口１１２ｂからは、コネクタ挿入口１５０並びに第一レバー１６１の被操作部１６１ａ及び第二レバー１６２の被操作部１６２ａが外部に露出する。
【００３９】
第一端子１２１及び第二端子１２２は、金属製の板状の部材であり、アダプタ筐体１１０に設けられている。第一端子１２１、及び、第二端子１２２は、本体部１１１の内側にネジによって固定される。
【００４０】
第一端子１２１の一方の端部１２１ａは、端子挿通孔１１１ａ１から突出する。第一端子１２１の他方の端部１２１ｂは、コネクタ挿入口１５０内に配置される。同様に、第二端子１２２の一方の端部１２２ａは、端子挿通孔１１１ａ２から突出する。第二端子１２２の他方の端部１２２ｂは、コネクタ挿入口１５０内に配置される。第一端子１２１の他方の端部１２１ｂ、及び、第二端子１２２の他方の端部１２２ｂは、器具コネクタ３３０がコネクタ挿入口１５０に接続された状態において、器具コネクタ３３０内の金属端子と接続される。
【００４１】
第一係止部材１３１及び第二係止部材１３２は、照明器具用アダプタ１００が器具本体３１０を保持するための部材である。第一係止部材１３１は、弾性部材１７０によってアダプタ筐体１１０の内側から外部に向けて付勢されており、第一開口１１３ｃ１からアダプタ筐体１１０の外側に向けて突出している。第一係止部材１３１は、第一面１１１ａに平行な方向に力を受けることで、第一面１１１ａに平行な方向に移動する。第二係止部材１３２は、弾性部材１７０によってアダプタ筐体１１０の内側から外部に向けて付勢されており、第二開口１１３ｃ２からアダプタ筐体１１０の外側に向けて突出している。第二係止部材１３２は、第一面１１１ａに平行な方向に力を受けることで、第一面１１１ａに平行な方向に移動する。弾性部材１７０は、具体的には、ねじりばねであるが、その他の弾性部材であってもよい。
【００４２】
第一レバー１６１及び第二レバー１６２は、器具本体３１０を照明器具用アダプタ１００から取り外すために操作される樹脂製の部材である。第一係止部材１３１は、第一レバー１６１が操作されることにより、Ｙ軸方向に沿って移動する。第二係止部材１３２は、第二レバー１６２が操作されることにより、Ｙ軸方向に沿って移動する。ユーザは、第一レバー１６１の被操作部１６１ａ及び第二レバー１６２の被操作部１６２ａのそれぞれをアダプタ筐体１１０の中央部分から外側に向けて引くことで、第一係止部材１３１及び第二係止部材１３２をアダプタ筐体１１０内に移動させ、器具本体３１０を照明器具用アダプタ１００から取り外すことができる。
【００４３】
照明器具用アダプタ１００が上記構造を有することで、照明器具用アダプタ１００に対して器具本体３１０を簡易に着脱することができ、また、アース接続部材６２３を用いて、器具本体３１０を接地状態又は非接地状態にすることを簡易に行うことができる。
【００４４】
［３．照明器具及び引掛シーリングボディの組み合わせ構造］
次に、照明器具３００及び引掛シーリングボディ２００の組み合わせ構造について、図６Ａ及び図６Ｂを参照しながら説明する。
【００４５】
図６Ａは、実施の形態に係る照明器具３００を引掛シーリングボディ２００に取り付ける前の模式図である。図６Ｂは、実施の形態に係る照明器具３００を引掛シーリングボディ２００に取り付けた後の模式図である。
【００４６】
図６Ａ及び図６Ｂに図示されるように、引掛シーリングボディ２００は、天井などの構造物に予め設置されている。そして、照明器具用アダプタ１００が引掛シーリングボディ２００に取り付けられ、その後、器具本体３１０が照明器具用アダプタ１００に取り付けられる。
【００４７】
引掛シーリングボディ２００は、ボディ筐体２１５と、複数の電力供給部２２１、２２２と、アース部２２３とを有している。電力供給部２２１、２２２のそれぞれは、電力供給用の端子であり、ボディ筐体２１５の内部に配置されている。各電力供給部２２１、２２２は、建物に敷設された複数の電力供給線５２１、５２２に１対１で接続される。
【００４８】
アース部２２３は、接地用の端子である。アース部２２３は、例えば、ボディ筐体２１５の内部に設けられている。アース部２２３は、建物に敷設されたアース線５２３に接続される。
【００４９】
前述したように、アース接続部材６２３は、ボディ筐体２１５の内部にてアース部２２３に接続される。アース接続部材６２３は、アース部２２３に接続される引き出し線６２３ｂと、引き出し線６２３ｂの先端に接続される一方端子部６２３ａとを有している。引き出し線６２３ｂは、側面２１５ｂから外側に引き出されている。なお、アース接続部材６２３は、アース接続部材６２３とアダプタ筐体１１０の底面２１５ａとの接点を付け根とし、底面２１５ａから外側に引き出されていてもよい。
【００５０】
照明器具用アダプタ１００が引掛シーリングボディ２００に接続されると、第一端子１２１及び第二端子１２２が、複数の電力供給部２２１、２２２に１対１で電気的に接続される。具体的には、照明器具用アダプタ１００が引掛シーリングボディ２００に接続される際に、照明器具用アダプタ１００が上方移動及び回動され、各第一端子１２１及び第二端子１２２が各電力供給部２２１、２２２に接続される。
【００５１】
その後、器具本体３１０が照明器具用アダプタ１００に接続される。その接続の際、第一端子１２１の他方の端部１２１ｂ及び第二端子１２２の他方の端部１２２ｂが、コネクタ挿入口１５０にて、器具本体３１０の器具コネクタ３３０に接続される。これにより、器具本体３１０が、引掛シーリングボディ２００及び照明器具用アダプタ１００を介して電力の供給を受ける。
【００５２】
一方、アース接続部材６２３は、アダプタ筐体１１０の溝１８１を通り、器具筐体３１５の下側の表面に設けられた器具側アース端子３１３に接続される。これにより、器具本体３１０が、アース接続部材６２３を介して接地される。
【００５３】
［４．効果等］
以上説明したように、本実施の形態の照明器具用アダプタ１００は、引掛シーリングボディ２００と照明器具３００の器具本体３１０とを接続する。照明器具用アダプタ１００は、引掛シーリングボディ２００に対向する第一面１１１ａ、及び、第一面１１１ａと反対側の第二面１１２ａを有するアダプタ筐体１１０と、アダプタ筐体１１０に設けられた給電用の第一端子１２１及び第二端子１２２とを備える。アダプタ筐体１１０の第一面１１１ａには、引掛シーリングボディ２００と器具本体３１０とをアース接続するアース接続部材６２３を通すための溝１８１又は穴が設けられている。
【００５４】
これによれば、器具本体３１０を照明器具用アダプタ１００に取り付ける際に、引掛シーリングボディ２００から引き出されたアース接続部材６２３を、アダプタ筐体１１０の溝１８１又は穴を通して器具本体３１０に接続することができる。これにより、器具本体３１０を接地することができ、照明器具３００の安全性を向上することができる。
【００５５】
また、溝１８１又は穴は、第一面１１１ａから第二面１１２ａにわたって設けられていてもよい。
【００５６】
これによれば、器具本体３１０を照明器具用アダプタ１００に取り付ける際に、アース接続部材６２３をアダプタ筐体１１０の溝１８１又は穴に通して、器具本体３１０に接続することができる。これにより、器具本体３１０を確実に接地することができ、照明器具３００の安全性を向上することができる。
【００５７】
また、溝１８１又は穴は、アダプタ筐体１１０を第一面１１ａに垂直な方向から見た場合、引掛シーリングボディ２００と重なる位置に設けられていてもよい。
【００５８】
これによれば、アース接続部材６２３をアダプタ筐体１１０の溝１８１又は穴に簡易に通すことができる。これにより、器具本体３１０を簡易に接地することができ、照明器具３００の安全性を向上することができる。
【００５９】
本実施の形態の照明器具３００は、上記照明器具用アダプタ１００と、照明器具用アダプタ１００に接続される器具本体３１０とを備える。
【００６０】
このように、照明器具３００が上記照明器具用アダプタ１００を備えることで、安全性が向上した照明器具３００を提供することができる。
【００６１】
本実施の形態の照明器具セット４００は、アース接続部材６２３を有する引掛シーリングボディ２００と、引掛シーリングボディ２００に接続される上記照明器具用アダプタ１００と、照明器具用アダプタ１００に接続される器具本体３１０とを備える。
【００６２】
このように、照明器具セット４００が上記照明器具用アダプタ１００及び上記引掛シーリングボディ２００を備えることで、安全性が向上した照明器具セット４００を提供することができる。
【００６３】
また、アース接続部材６２３は、引掛シーリングボディ２００の底面２１５ａ又は側面２１５ｂから外側に引き出され、溝１８１又は穴を通って器具本体３１０に電気的に接続されてもよい。
【００６４】
このように、引掛シーリングボディ２００から引き出されたアース接続部材６２３が、溝１８１又は穴を通って器具本体３１０に電気的に接続されることで、安全性が向上した照明器具セット４００を提供することができる。
【００６５】
また、第一端子１２１及び第二端子１２２は、引掛シーリングボディ２００を介して、建物に敷設された複数の電力供給線５２１、５２２に１対１で接続され、アース接続部材６２３は、建物に敷設されたアース線５２３に電気的に接続されていてもよい。
【００６６】
これによれば、例えば器具本体３１０を照明器具用アダプタ１００に取り付けた場合に、アース接続部材６２３を介して器具本体３１０を接地することができる。これにより、照明器具３００の安全性を向上することができる。
【００６７】
［５．実施の形態の変形例１］
次に、実施の形態の変形例１に係る照明器具用アダプタ１００Ａについて、図７を参照しながら説明する。変形例１では、アダプタ筐体１１０に、溝１８１に繋がる凹部１８２が設けられている例について説明する。
【００６８】
図７は、実施の形態の変形例１に係る照明器具用アダプタ１００Ａを上方から見た外観斜視図である。
【００６９】
図７に示されるように、アダプタ筐体１１０の第一面１１１ａには、溝１８１の一部に繋がる凹部１８２が設けられている。凹部１８２は、溝１８１を起点とし、照明器具用アダプタ１００Ａを引掛シーリングボディ２００に回転して接続する際の回転方向に沿って設けられている。
【００７０】
この構造によれば、照明器具用アダプタ１００Ａを引掛シーリングボディ２００に回転して接続する際に、アース接続部材６２３が引掛シーリングボディ２００と照明器具用アダプタ１００Ａとの間に挟まれ、アース接続部材６２３に不具合が生じることを抑制できる。これにより、アース接続部材６２３を用いて、器具本体３１０を確実に接地することができ、照明器具３００の安全性を向上することができる。
【００７１】
［６．実施の形態の変形例２］
次に、実施の形態の変形例２に係る照明器具用アダプタ１００Ｂについて、図８を参照しながら説明する。
【００７２】
図８は、実施の形態の変形例２に係る照明器具用アダプタ１００Ｂを上方から見た外観斜視図である。
【００７３】
図８に示されるように、アダプタ筐体１１０は、アース接続部材６２３を通すための溝１８１を有している。この溝１８１は、アダプタ筐体１１０の第一面１１１ａから側壁１１３に沿って、第二面１１２ａに到達する手前まで形成されている。具体的には、溝１８１は、器具本体３１０を照明器具用アダプタ１００Ｂに取り付けた場合に、溝１８１の一部である下端部が、器具筐体３１５よりも下側に位置するように形成されている。
【００７４】
変形例２の照明器具用アダプタ１００Ｂでも、器具本体３１０を照明器具用アダプタ１００に取り付けた場合に、アース接続部材６２３を、アダプタ筐体１１０の溝１８１を通して器具本体３１０に接続することができる。これにより、器具本体３１０を接地することができ、照明器具３００の安全性を向上することができる。
【００７５】
［７．実施の形態の変形例３］
次に、実施の形態の変形例３に係る照明器具用アダプタ１００Ｃについて、図９及び図１０を参照しながら説明する。変形例３では、アダプタ筐体１１０に、溝１８１の代わりに、アース接続部材６２３を通すための穴１８６が設けられている例について説明する。なお、変形例３の引掛シーリングボディ２００では、アース接続部材６２３が、ボディ筐体２１５の底面２１５ａ側から引き出されている。
【００７６】
図９は、実施の形態の変形例３に係る照明器具用アダプタ１００Ｃを上方から見た外観斜視図である。
【００７７】
図９に示されるように、アダプタ筐体１１０は、アース接続部材６２３を通すための穴１８６を有している。この穴１８６は、第一面１１１ａから第二面１１２ａにわたって貫通し、かつ、アダプタ筐体１１０の側壁１１３に平行に設けられている。アダプタ筐体１１０を第一面１１１ａに垂直な方向から見た場合、穴１８６は、引掛シーリングボディ２００のボディ筐体２１５の外周の内側であって、引掛シーリングボディ２００と重なる位置に設けられている。また、穴１８６は、第一面１１１ａに垂直な方向から見た場合、アース接続部材６２３と底面２１５ａとの接点である付け根の位置と同じ位置に設けられている。
【００７８】
照明器具用アダプタ１００Ｃが上記構造を有することで、器具本体３１０を照明器具用アダプタ１００Ｃに取り付けた場合に、引掛シーリングボディ２００から引き出されたアース接続部材６２３を、アダプタ筐体１１０の穴１８６を通して器具本体３１０に接続することができる。これにより、器具本体３１０を接地することができ、照明器具３００の安全性を向上することができる。なお、アダプタ筐体１１０の第一面１１１ａに、穴１８６の一部に繋がる凹部（図７の凹部１８２参照）が設けられていてもよい。
【００７９】
次に、変形例３のもう一つの例として、アース接続部材６２３が締結部材である例について説明する。
【００８０】
図１０は、実施の形態の変形例３に係る照明器具用アダプタ１００Ｃの断面を模式的に示した図である。
【００８１】
図１０には、アース接続部材６２３が、おねじを有する締結部材であり、引掛シーリングボディ２００のアース部２２３が、めねじを有する締結部材である例が示されている。図１０に示されるように、引掛シーリングボディ２００、照明器具用アダプタ１００Ｃ及び器具本体３１０は、アース接続部材６２３によって共締めされ、一体的に固定される。
【００８２】
この変形例３のように、アース接続部材６２３は、導電性を有する締結部材であり、引掛シーリングボディ２００、照明器具用アダプタ１００Ｃ及び器具本体３１０を一体的に固定していてもよい。
【００８３】
これによれば、アース接続部材６２３を用いて、引掛シーリングボディ２００と器具本体３１０とを締結して確実に接続することができる。これにより、器具本体３１０を接地することができ、照明器具３００の安全性を向上することができる。
【００８４】
［８．実施の形態の変形例４］
次に、実施の形態の変形例４に係るアース接続部材６２３について、図１１及び図１２を参照しながら説明する。変形例４では、アース接続部材６２３が、引掛シーリングボディ２００と別体であり、引掛シーリングボディ２００に着脱可能である例について説明する。
【００８５】
図１１は、実施の形態の変形例４に係る引掛シーリングボディ２００及びアース接続部材６２３を示した外観斜視図である。
【００８６】
変形例４の引掛シーリングボディ２００では、アース部２２３がボディ筐体２１５の側面２１５ｂに設けられている。アース部２２３は、おねじ形状を有し、側面２１５ｂから突出している。
【００８７】
アース接続部材６２３は、このアース部２２３に接続される。アース接続部材６２３は、アース部２２３に接続される他方端子部６２３ｃと、他方端子部６２３ｃの反対側である先端に位置する一方端子部６２３ａと、一方端子部６２３ａ及び他方端子部６２３ｃを繋ぐ引き出し線６２３ｂとを有している。他方端子部６２３ｃは、締結部材の一例であるナット６５０によってアース部２２３に固定される。他方端子部６２３ｃは、アダプタ筐体１１０の側面２１５ｂに設けられたアース部２２３を付け根とし、アース部２２３から外側に引き出される。
【００８８】
図１２は、実施の形態の変形例４に係る引掛シーリングボディ２００及びアース接続部材６２３の他の例を示した外観斜視図である。図１２には、ボディ筐体２１５の側面２１５ｂが、円周形状ではなく、平面状の部分を有している例が示されている。アース部２２３は、この平面状の部分に設けられる。この構造によれば、アース接続部材６２３の他方端子部６２３ｃを簡易に、アース部２２３に固定することができる。
【００８９】
変形例４においても、器具本体３１０を照明器具用アダプタ１００に取り付けた場合に、引掛シーリングボディ２００から引き出されたアース接続部材６２３を、アダプタ筐体１１０の溝１８１を通して器具本体３１０に接続することができる。これにより、器具本体３１０を接地することができ、照明器具３００の安全性を向上することができる。
【００９０】
本実施の形態の照明器具セット４００は、アース部２２３を有する引掛シーリングボディ２００と、引掛シーリングボディ２００に接続される上記照明器具用アダプタ１００と、照明器具用アダプタ１００に接続される器具本体３１０と、引掛シーリングボディ２００のアース部２２３と器具本体３１０とをアース接続するアース接続部材６２３とを備える。
【００９１】
このように、照明器具セット４００が上記アース接続部材６２３を備えることで、安全性が向上した照明器具セット４００を提供することができる。
【００９２】
（その他の実施の形態）
以上、実施の形態について説明したが、本発明は、上記実施の形態に限定されるものではない。
【００９３】
例えば、上記実施の形態で説明された照明器具は一例であり、照明器具の具体的態様については特に限定されない。照明器具は、照明器具用アダプタを用いて引掛けシーリングボディに接続されるのであれば、どのような態様であってもよい。
【００９４】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【００９５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９６】
１００、１００Ａ、１００Ｂ、１００Ｃ  照明器具用アダプタ
１１０  アダプタ筐体
１１１ａ  第一面
１１２ａ  第二面
１１３  側壁
１１３ｃ１  第一開口
１１３ｃ２  第二開口
１２１  第一端子
１２１ａ、１２２ａ  一方の端部
１２１ｂ、１２２ｂ  他方の端部
１２２  第二端子
１３１  第一係止部材
１３２  第二係止部材
２００  引掛シーリングボディ
２１５  ボディ筐体
２１５ａ  底面
２１５ｂ  側面
２２１、２２２  電力供給部
２２３  アース部
３００  照明器具
３１０  器具本体
３１３  器具側アース端子
３１５  器具筐体
３３０  器具コネクタ
４００  照明器具セット
５２１、５２２  電力供給線
５２３  アース線
６２３  アース接続部材
【図１】
2020087654.tif 000003
【図２】
2020087654.tif 000004
【図３】
2020087654.tif 000005
【図４】
2020087654.tif 000006
【図５】
2020087654.tif 000007
【図６Ａ】
2020087654.tif 000008
【図６Ｂ】
2020087654.tif 000009
【図７】
2020087654.tif 000010
【図８】
2020087654.tif 000011
【図９】
2020087654.tif 000012
【図１０】
2020087654.tif 000013
【図１１】
2020087654.tif 000014
【図１２】
2020087654.tif 000015